(57)【特許請求の範囲】
【請求項１】
各種表示を行う表示部と、
前記表示部を視認するための表示窓を有する操作パネルと、
前記表示部を搭載し、前記操作パネルの内側に設けられている操作基板と、
無線通信端末との近距離無線通信を行うアンテナとなる電極パターンが設けられた平板形状の無線通信基板と、
前記操作基板を貫通し、前記操作基板の位置決めを行い、先端に前記無線通信基板を載置する平面を有する位置決めピンと、を備え、
前記操作基板は、
前記位置決めピンを通す穴を有し、
前記無線通信基板は、
前記位置決めピンの前記平面の上面に載置され、前記操作パネルと前記操作基板との間に前記表示部と並列に配置される、炊飯器。
【請求項２】
更に前記操作基板に組み付けられ、前記表示部の外周に配置される表示部保持部材を備え、
該表示部保持部材は、
前記無線通信基板を載置する基板支持部を有する、請求項１に記載の炊飯器。
【請求項３】
前記表示部保持部材は、
前記表示部の外周を包囲し、開口部を有する、請求項２に記載の炊飯器。
【請求項４】
前記操作パネルは、
前記無線通信基板に伝達された情報により前記表示部に表示された内容で運転することを決定するための通信決定キーを有し、
該通信決定キーと前記無線通信基板とは、
四角形である前記表示部の何れか一辺側に寄せて配置された、請求項１〜３の何れか１項に記載の炊飯器。
【請求項５】
前記無線通信基板は、
前記電極パターンが前記操作パネル側に向くように配置されている、請求項１〜４の何れか１項に記載の炊飯器。
【発明の詳細な説明】
【技術分野】
【０００１】
本発明は、炊飯器に関し、特に通信基板の設置構造に関する。
【背景技術】
【０００２】
従来、携帯情報端末等で通信する炊飯器が知られている。この種の炊飯器では、無線通信により無線通信端末から情報を受け、例えば炊飯メニューの選択が行われる。これにより、炊飯器で釦を押すなどの操作により炊飯メニューを選択する動作が不要となり、ユーザーの操作の煩わしさを改善させることができる。
【０００３】
特許文献１に開示されている技術においては、炊飯器は、無線通信部を備えている。無線通信端末からの情報を無線通信部が受信し、その情報に基づき炊飯メニューなどを選択する。その通信の際に、無線通信端末を炊飯器に近づけて通信を行う。無線通信を行う通信基板は、炊飯器の内部に設置されている。
【先行技術文献】
【特許文献】
【０００４】
【特許文献１】国際公開第２０１３／１３６７３８号
【発明の概要】
【発明が解決しようとする課題】
【０００５】
しかし、特許文献１に開示されている技術においては、炊飯器にＮＦＣ（Ｎｅａｒ  Ｆｉｅｌｄ  Ｃｏｍｍｕｎｉｃａｔｉｏｎ）通信といった近接場形の通信規格により通信を行うようにさせる場合は、無線通信端末と通信基板と距離を近接させるように、通信基板を炊飯器の外観の近傍に配置しなければならないという課題があった。
【０００６】
また、炊飯器においては、炊飯器の操作を行う操作パネルが設けられ、その近傍には液晶表示部が設けられている場合がある。無線通信端末と炊飯器との間でＮＦＣ通信をするときは、ユーザーの操作性を向上させる観点から、操作パネル及び液晶表示部の近傍にＮＦＣ通信部を配置することが望ましい。しかし、液晶表示素子が搭載されている操作基板にＮＦＣ通信を行うアンテナ部を設けると、液晶表示素子の厚み分だけ外観面からアンテナ部までの距離が遠く、無線通信端末を外観面に近接させても通信感度が低い、又は通信できない場合がある。よって、ＮＦＣ通信基板は、液晶表示素子を搭載した基板とは別に設ける必要があった。また、ＮＦＣ通信基板を液晶表示素子が搭載されている操作基板と別に配置するためには、液晶表示素子やそれを搭載している操作基板を避けて配置する必要があり、炊飯器の大型化又は内部スペースを削減しなければならないという課題があった。
【０００７】
本発明は、上記のような課題を解決するためになされたものであり、炊飯器においてＮＦＣ通信を可能にし、かつ、ＮＦＣ基板を配置するためのスペースを低減し、大型化又は内部スペースを削減することなく、ＮＦＣ通信機能するにあたり操作性の良い炊飯器を提供することを目的としている。
【課題を解決するための手段】
【０００８】
本発明に係る炊飯器は、各種表示を行う表示部と、前記表示部を視認するための表示窓を有する操作パネルと、前記表示部を搭載し、前記操作パネルの内側に設けられている操作基板と、無線通信端末との近距離無線通信を行うアンテナとなる電極パターンが設けられた平板形状の無線通信基板と、前記操作基板を貫通し、前記操作基板の位置決めを行い、先端に前記無線通信基板を載置する平面を有する位置決めピンと、を備え、前記操作基板は、前記位置決めピンを通す穴を有し、前記無線通信基板は、前記位置決めピンの前記平面の上面に載置され、前記操作パネルと前記操作基板との間に前記表示部と並列に配置されるものである。
【発明の効果】
【０００９】
本発明に係る炊飯器によれば、操作パネルと操作基板の間にＮＦＣ通信基板を配置することができるため、操作パネルの外観面側に近接する無線通信端末とＮＦＣ通信基板との距離を短くすることができる。また、操作基板とＮＦＣ通信基板とを重ねて配置することができるため、ＮＦＣ通信基板を配置するスペースを最小限におさえることができ、炊飯器の大型化及び内部スペースも削減することなく、ＮＦＣ通信をするにあたり操作性の良い炊飯器を提供することができる。
【図面の簡単な説明】
【００１０】
【図１】本発明の実施の形態１に係る炊飯器の斜視図である。
【図２】炊飯器に無線通信端末を近づけた時の側面図である。
【図３】図１の炊飯器の中央部の断面を表した図である。
【図４】図１の蓋体を上面から表した図である。
【図５】図１の炊飯器の蓋体を分解した状態の斜視図である。
【図６】蓋筐体に表示部ユニット及びＮＦＣ通信基板を組み付けた状態の上面図である。
【図７】図４のＡ−Ａ部の断面を表した図である。
【図８】図４のＢ−Ｂ部の断面を表した図である。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。符号に添え字（例えば「１０ａ」の「ａ」）が付されている場合、添え字が付されていない符号については、その添え字が付されたもの全体を指すものである。
【００１２】
実施の形態１．
図１は、本発明の実施の形態１に係る炊飯器１００の斜視図である。図２は、炊飯器１００に無線通信端末８０を近づけた時の側面図である。図３は、図１の炊飯器１００の中央部の断面を表した図である。炊飯器１００は、本体９０と蓋体１０とから構成される。本体９０は、内部に内鍋９３が配置され、内鍋９３を熱するヒーター９４等が設けられている。蓋体１０は、本体９０の上部を覆う蓋であり、本体９０とヒンジ軸９２により接続され、開閉自在に取り付けられている。蓋体１０は、操作パネル２０及び蓋筐体３０により構成されており、蓋体１０の外観を構成している。操作パネル２０は、蓋筐体３０の上面を覆って組み立てられており、蓋筐体３０の裏面側からビス３４により固定されている。本体９０には開閉釦９１が設けられている。開閉釦９１は、炊飯器１００の前面に設けられており、開閉釦９１の反対側、すなわち炊飯器１００の背面側に蓋体１０と本体９０とを接続するヒンジ軸９２が設けられている。開閉釦９１を押すと、蓋体１０が開き、炊飯器１００の本体９０の上部の開口が露出する。なお、炊飯器１００において開閉釦９１が設置されている側を炊飯器１００の前側、ヒンジ軸９２が設けられている側を背面側とし、前側から見て左を炊飯器１００の左側、前側から見て右を炊飯器１００の右側と呼ぶ。
【００１３】
操作パネル２０には、中央付近に表示窓２２が設けられている。表示窓２２からは、蓋体１０内部に配置されている表示部５２が視認できる。表示窓２２の前側には、通信決定キー２１と、十字操作キー２３と、切キー２４とが設けられている。炊飯器１００の前側から見て表示窓２２の左右には、釦２５が縦に３つずつ並べられて設けられている。これらの釦２５には炊飯器１００の各種設定をするときの各機能などが割り当てられている。
【００１４】
図４は、図１の蓋体１０を上面から表した図である。表示窓２２は、操作パネル２０の中央部付近に設けられている。操作パネル２０は、樹脂により成形されており、表示窓２２の部分だけ透明になっており、内部の表示部５２が視認できるようになっている。表示窓２２の右上には、ＮＦＣ通信部２６が設けられている。ＮＦＣ通信部２６は、通信決定キー２１と炊飯器１００の前後方向に並んでいる。実施の形態１においては、ＮＦＣ通信部２６及び通信決定キー２１は、表示窓２２の右側の辺に寄せて配置されている。このような配置にすることで、無線通信端末８０とのＮＦＣ通信状態を表示部５２で確認しながら通信決定キー２１を操作できる。なお、ＮＦＣ通信部２６には、無線通信端末８０を近接させるときの目印になるように、ロゴ等を設けても良い。ロゴは、例えば、印刷や成形により設けられる。
【００１５】
図５は、図１の炊飯器１００の蓋体１０を分解した状態の斜視図である。図６は、蓋筐体３０に表示部ユニット５０及びＮＦＣ通信基板４０を組み付けた状態の上面図である。蓋体１０は、蓋筐体３０の内部に表示部ユニット５０が収納される収納部３５が形成されている。表示部ユニット５０が収納部３５に収納され、表示部ユニット５０の操作基板５６に重なるようにＮＦＣ通信基板４０が収納される。ＮＦＣ通信基板４０は、表示部５２の右上部に配置されている。ＮＦＣ通信基板４０の真上の操作パネル２０の外観部がＮＦＣ通信部２６となっている。ＮＦＣ通信部２６は、特にＮＦＣ通信基板４０のアンテナに合わせて設けられている。また、ＮＦＣ通信基板４０は、矩形で角に丸みを付せられており、長辺を炊飯器１００の左右方向に平行にして配置されている。ＮＦＣ通信基板４０は、ビス３４により固定されている。なお、ＮＦＣ通信は本願発明の「近距離無線通信」、ＮＦＣ通信基板は本願発明の「無線通信基板」に相当する。
【００１６】
操作パネル２０は、蓋筐体３０の上から被せる構造になっている。表示部ユニット５０及び操作パネル２０は、蓋筐体３０にビスなどにより固定される。そのため、操作基板５６は、蓋筐体３０の収納部３５に納めた際の位置決めとなる位置決め穴５７と、ビスにより操作基板５６を固定するための穴５８が設けられている。実施の形態１においては、位置決め穴５７は、長穴になっているが、操作基板５６に要求される位置決め精度により、円形にしても良い。収納部３５の内部には、位置決めピン３２とネジ穴３３とが設けられている。
【００１７】
表示部ユニット５０の構成について説明する。操作基板５６に表示部５２が搭載されている。実施の形態１において、表示部５２は、フルドット液晶ディスプレイであるが、文字、記号、映像等を表示できれば、その他の表示装置、例えば、有機ＥＬディスプレイなどを使用しても良い。表示部５２の上には表示部保持部材６０が配置されており、表示部５２の外周を包囲している。なお、表示部保持部材６０は、表示部５２を全周包囲する形状に限定されない。例えば、一方の辺が開放された四角形状であっても良い。操作基板５６上には、機械接点式スイッチが配置され、その上に表示部保持部材６０に一体成形された、通信決定キー押し子５１、操作キー押し子５３、切キー押し子５４、及び釦押し子５５が配置されている。操作パネル２０上の各キー、釦を押すと、各押し子を介して操作基板５６上の機械接点式スイッチが押される構造になっている。
【００１８】
図７は、図４のＡ−Ａ部の断面を表した図である。図８は、図４のＢ−Ｂ部の断面を表した図である。ここで、ＮＦＣ通信基板４０の支持構造について説明する。ＮＦＣ通信基板４０は、図６において表示部５２の右上に配置されている。ＮＦＣ通信基板４０は、操作基板５６と上下方向に重なり配置されており、表示部５２とは並列に横に配置されている。図７に示されるように、表示部保持部材６０は、ＮＦＣ通信基板４０が配置されている側の側面の一部を突き出して形成された基板支持部６１を有する。基板支持部６１の下面、すなわち操作基板５６側の面が操作基板５６に接する位置まで延びている。ＮＦＣ通信基板４０は基板支持部６１の上面に載置される。基板支持部６１が表示部保持部材６０に一体に設けられていることにより、基板上でＮＦＣ通信基板４０を支持するための部材を他に追加する必要がないため、部品点数を減らすことができ、コスト低減が図れる。また、基板支持部６１が表示部保持部材６０に一体に設けられているとＮＦＣ通信基板４０を表示部５２の近傍に配置するのに都合がよい。無線通信端末８０との通信状態を表示部５２に表示することにより、表示部５２を見ながら無線通信端末８０をＮＦＣ通信部２６に近接させることができるため、ＮＦＣ通信が容易になるという効果が得られる。特に、ＮＦＣ通信は、通信可能な距離が短いため、相手の無線通信端末８０の仕様によっては、図示していない無線通信端末８０側のＮＦＣ通信部とＮＦＣ通信部２６との位置が正確に合わないと通信できない場合がある。よって、ＮＦＣ通信ができているかを表示部５２で確認しながら操作すると、容易にＮＦＣ通信が可能となる。
【００１９】
また、図５に示されるように、蓋筐体３０の収納部３５の右上側の領域には、基板固定部３６と位置決めピン３２とが設けられている。基板固定部３６は、上面が平面になっており、ビスを締結するための穴が空いている。位置決めピン３２は、操作基板５６の位置決め穴５７を通り、操作基板５６の上部まで突き出ている。位置決めピン３２の先端は、平面になっており、高さは基板固定部３６と同じ高さにされている。ＮＦＣ通信基板４０は、基板固定部３６及び位置決めピン３２の上面に載置される。なお、前述の基板支持部６１も基板固定部３６及び位置決めピン３２の上面と同じ高さに設定されている。ＮＦＣ通信基板４０は、基板固定部３６、位置決めピン３２、基板支持部６１の３つの面で支持され、ＮＦＣ通信基板４０に設けられたビス穴４１にビスを通して基板固定部３６に締結される。
【００２０】
基板固定部３６、位置決めピン３２、基板支持部６１の３つの面の高さは、ＮＦＣ通信基板４０が収まる範囲で操作パネル２０の裏面に近いほうが望ましい。ＮＦＣ通信基板４０は、外観面に近い位置にあるほどＮＦＣ通信の感度が良くなるからである。
【００２１】
（ＮＦＣ通信の動作）
上記のようにＮＦＣ通信基板４０が配置される構造について説明したが、以下に、上記の構造で配置されたＮＦＣ通信基板により外部の無線通信端末８０と通信する動作について説明する。
【００２２】
炊飯器１００と無線通信端末８０とＮＦＣ通信をする際には、無線通信端末８０を炊飯器１００の蓋体１０の上面に設けられたＮＦＣ通信部２６に近接させる。無線通信端末８０は、例えばスマートフォンなどの携帯端末であるが、ＮＦＣ通信が可能で、炊飯器１００に必要な情報を送信することができれば、これに限られない。
【００２３】
無線通信端末８０をＮＦＣ通信部２６にかざし、無線通信端末８０からＮＦＣ通信基板４０に情報が送信されると、送信された情報は、図示されていない制御部に送られる。制御部は、送信された情報に基づき表示部５２に表示を行う。
【００２４】
ユーザーは、表示部５２に表示された情報を確認し、その情報が適正であれば通信決定キー２１を押す。制御部は、通信決定キー２１の操作を受けて、無線通信端末８０から送られた情報に基づいて、炊飯器１００の運転制御を行う。
【００２５】
（効果）
実施の形態１の炊飯器１００は、各種表示を行う表示部５２と、表示部５２が視認できるように設けられた表示窓２２を有する操作パネル２０と、表示部５２を搭載し、操作パネル２０の内側に設けられている操作基板５６と、無線通信端末８０とのＮＦＣ通信を行うＮＦＣ通信基板４０と、を備える。ＮＦＣ通信基板４０は、操作パネル２０と操作基板５６との間に配置される。なお、本願発明においてはＮＦＣ通信は「近距離無線通信」、ＮＦＣ通信基板４０は「無線通信基板」に相当する。このような構成にすることにより、操作パネル２０と操作基板５６の間にＮＦＣ通信基板４０を配置することができるため、操作パネル２０の外観面側に近接する無線通信端末８０とＮＦＣ通信基板４０との距離を短くすることができる。また、操作基板５６とＮＦＣ通信基板４０とを重ねて配置することができるため、ＮＦＣ通信基板４０を配置するスペースを最小限におさえることができ、炊飯器１００の大型化及び内部スペースも削減することなく、ＮＦＣ通信をするにあたり操作性の良い炊飯器１００を提供することができる。
【００２６】
また、実施の形態１の炊飯器１００においては、更に操作基板５６に組み付けられ、表示部５２の外周を包囲し、開口部を有する表示部保持部材６０を備える。表示部保持部材６０は、ＮＦＣ通信基板４０を載置する基板支持部６１を有する。このような構成にすることにより、ＮＦＣ通信基板４０を表示部５２の近傍に配置できる。また、操作基板５６上にスペーサーなどの部品を追加することなくＮＦＣ通信基板４０を配置できる。
【００２７】
また、実施の形態１の炊飯器１００においては、更に操作基板５６を貫通し、操作基板５６の位置決めを行い、先端にＮＦＣ通信基板４０を載置する平面を有する位置決めピン３２を備える。操作基板５６は、位置決めピン３２を通す穴を有する。このような構成にすることにより、ＮＦＣ通信基板４０を操作基板５６に重ねて配置することができ、表示部５２の近傍にでも配置可能である。また、操作基板５６上にスペーサーなどの部品を追加することなくＮＦＣ通信基板４０を配置できる。さらに、操作基板５６の位置決めピンを別途設ける必要もないため、省スペースが実現できる。
【００２８】
また、実施の形態１の炊飯器１００においては、操作パネル２０は、ＮＦＣ通信基板４０に伝達された情報により表示部５２に表示された内容で運転することを決定するための通信決定キー２１を有する。通信決定キー２１とＮＦＣ通信基板４０とは、四角形である表示部５２の何れか一辺側に寄せて配置される。このような構成にすることにより、無線通信端末８０をＮＦＣ通信部２６に近接させて通信したときに、無線通信端末８０との通信状態を表示部５２及び無線通信端末８０の画面等で確認しながら決定キーの操作が可能となり、操作性が向上する。
【００２９】
また、実施の形態１の炊飯器１００においては、ＮＦＣ通信基板４０は、アンテナとなる電極パターンが操作パネル側に向くように配置されている。このような構成にすることにより、操作パネル２０の外観面とＮＦＣ通信基板４０のアンテナとなる電極との距離を近づけることができる。そのため、ＮＦＣ通信部２６に無線通信端末８０を近接させた時に通信感度を良くすることができる。
【００３０】
なお、実施の形態１においては、ＮＦＣ通信により無線通信端末８０とＮＦＣ通信基板４０との間で通信する形態として説明したが、特定の通信規格だけに限定されない。近接した距離の無線通信であれば、その他の通信規格による通信であってもよい。
【符号の説明】
【００３１】
１０  蓋体、２０  操作パネル、２１  通信決定キー、２２  表示窓、２３  十字操作キー、２４  切キー、２５  釦、２６  ＮＦＣ通信部、３０  蓋筐体、３２  位置決めピン、３３  ネジ穴、３４  ビス、３５  収納部、３６  基板固定部、４０  ＮＦＣ通信基板、４１  ビス穴、５０  表示部ユニット、５１  通信決定キー押し子、５２  表示部、５３  操作キー押し子、５４  切キー押し子、５５  釦押し子、５６  操作基板、５７  位置決め穴、５８  穴、６０  表示部保持部材、６１  基板支持部、８０  無線通信端末、９０  本体、９１  開閉釦、９２  ヒンジ軸、９３  内鍋、９４  ヒーター、１００  炊飯器。
【図１】
0006602127.tif 000002
【図２】
0006602127.tif 000003
【図３】
0006602127.tif 000004
【図４】
0006602127.tif 000005
【図５】
0006602127.tif 000006
【図６】
0006602127.tif 000007
【図７】
0006602127.tif 000008
【図８】
0006602127.tif 000009